(57)【要約】【課題】プロジェクタの設定に応じてＰＣのスクリーンセーバーの動作を制御することが可能な投写システム等を提供すること。【解決手段】投写システム１０が、設定データを記憶する記憶部と、設定データに基づき、スクリーンセーバーの動作に関する制御情報を生成する情報生成部と、画像情報を受信するとともに、制御情報を送信するプロジェクタ側通信部とを含むプロジェクタ１００と、画像情報を送信するとともに、制御情報を受信するＰＣ側通信部と、スクリーンセーバーの起動イベントが発生したかどうかを判定する判定部と、起動イベントが発生した場合、制御情報に基づき、当該制御情報がスクリーンセーバーの起動を禁止する情報であればスクリーンセーバーの起動を抑止し、当該制御情報がスクリーンセーバーの起動を許可する情報であればスクリーンセーバーを起動させる制御部とを含むＰＣ２００とを含む。【選択図】図１
2008077301.tif 000002
【特許請求の範囲】
【請求項１】
少なくとも１台のＰＣと、当該ＰＣからの画像情報に基づく画像を投写するプロジェクタとを含む投写システムにおいて、
前記プロジェクタは、
前記ＰＣにおけるスクリーンセーバーの動作に関する設定を示す設定データを記憶する記憶部と、
前記設定データに基づき、前記スクリーンセーバーの動作に関する制御情報を生成する情報生成部と、
前記画像情報を前記ＰＣから受信するとともに、前記制御情報を前記ＰＣへ向け送信するプロジェクタ側通信部と、
を含み、
前記ＰＣは、
前記画像情報を前記プロジェクタへ向け送信するとともに、前記制御情報を前記プロジェクタから受信するＰＣ側通信部と、
前記スクリーンセーバーの起動イベントが発生したかどうかを判定する判定部と、
前記起動イベントが発生した場合、前記制御情報に基づき、当該制御情報が前記スクリーンセーバーの起動を禁止する情報であれば前記スクリーンセーバーの起動を抑止し、当該制御情報が前記スクリーンセーバーの起動を許可する情報であれば前記スクリーンセーバーを起動させる制御部と、
を含むことを特徴とする投写システム。
【請求項２】
請求項１に記載の投写システムにおいて、
前記プロジェクタは、
前記画像情報に基づく画像を投写するとともに、前記設定データに関する情報を入力させるための設定画像を投写する投写部と、
前記設定データに関する情報を入力して前記設定データとして前記記憶部に記憶する設定部と、
を含むことを特徴とする投写システム。
【請求項３】
請求項１、２のいずれかに記載の投写システムにおいて、
前記ＰＣは、
前記ＰＣにおける非入力継続時間を計時する計時部と、
前記スクリーンセーバーの起動設定時間を示す起動設定時間データを記憶する記憶部と、
を含み、
前記判定部は、前記制御情報が前記スクリーンセーバーの起動を禁止する情報の場合、前記非入力継続時間と、前記起動設定時間データとに基づき、前記非入力継続時間が前記起動設定時間を経過する前に前記起動イベントが発生したと判定することを特徴とする投写システム。
【請求項４】
請求項１〜３のいずれかに記載の投写システムにおいて、
前記制御部は、前記制御情報が前記スクリーンセーバーの起動を許可する情報の場合であって、かつ、前記起動イベントが発生した場合、前記ＰＣ側通信部に前記画像情報の送信を停止させることを特徴とする投写システム。
【請求項５】
少なくとも１台のＰＣと、当該ＰＣからの画像情報に基づく画像を投写するプロジェクタとを用いた投写方法において、
前記プロジェクタは、前記ＰＣと接続された場合、前記ＰＣにおけるスクリーンセーバーの動作に関する制御情報を前記ＰＣへ向け送信し、
前記ＰＣは、
前記制御情報を前記プロジェクタから受信し、
前記スクリーンセーバーの起動イベントが発生したかどうかを判定し、
前記起動イベントが発生した場合、前記制御情報に基づき、当該制御情報が前記スクリーンセーバーの起動を禁止する情報であれば前記スクリーンセーバーの起動を抑止し、当該制御情報が前記スクリーンセーバーの起動を許可する情報であれば前記スクリーンセーバーを起動させることを特徴とする投写方法。
【発明の詳細な説明】
【技術分野】
【０００１】
本発明は、ＰＣとプロジェクタを用いた投写システムおよび投写方法に関する。
【背景技術】
【０００２】
例えば、特開２００６−５８６６８号公報に記載されているように、ノート型ＰＣ(Personal Computer)で表示されている画像の画像情報を、ノート型ＰＣがネットワークを介してプロジェクタに送信し、プロジェクタがＰＣで表示されている画像と同じ画像を表示する場合がある。
【０００３】
また、プロジェクタを用いてプレゼンテーションや会議等が行われる場合、ユーザーごとのノートＰＣがプロジェクタに接続して使用される場合が多い。
【０００４】
ユーザーは、ノート型ＰＣを通常使用する際にスクリーンセーバーの設定を行っていると、プロジェクタと接続して使用する際にその設定のまま使用してしまうことがある。このような場合、ノート型ＰＣでスクリーンセーバーが起動すると、プロジェクタの画像にもスクリーンセーバー画像が表示され、プロジェクタの画像の観察者に不快感を与える場合もある。
【０００５】
このような問題を解決するためには、ＰＣがプロジェクタと接続されている場合にはスクリーンセーバーの動作を停止したり、起動を抑止したりすることが考えられる。例えば、特開平８−１９４５９９号公報では、アプリケーションでイベントが発生した際に、スクリーンセーバーの動作を停止してイベントの内容を表示することが記載されている。
【特許文献１】特開２００６−５８６６８号公報
【特許文献２】特開平８−１９４５９９号公報
【発明の開示】
【発明が解決しようとする課題】
【０００６】
しかし、プロジェクタを会議等で使用する場合、会議の参加者が、プロジェクタの画像ではなく手元の資料を参照している場合はプロジェクタの画像にスクリーンセーバー画像が表示されても問題はなく、単純にＰＣがプロジェクタと接続されている場合にスクリーンセーバーの動作の抑止等を行うことは好ましくない。
【０００７】
本発明の目的は、プロジェクタの設定に応じてＰＣのスクリーンセーバーの動作を制御することが可能な投写システムおよび投写方法を提供することにある。
【課題を解決するための手段】
【０００８】
上記課題を解決するため、本発明に係る投写システムは、少なくとも１台のＰＣと、当該ＰＣからの画像情報に基づく画像を投写するプロジェクタとを含む投写システムにおいて、
前記プロジェクタは、
前記ＰＣにおけるスクリーンセーバーの動作に関する設定を示す設定データを記憶する記憶部と、
前記設定データに基づき、前記スクリーンセーバーの動作に関する制御情報を生成する情報生成部と、
前記画像情報を前記ＰＣから受信するとともに、前記制御情報を前記ＰＣへ向け送信するプロジェクタ側通信部と、
を含み、
前記ＰＣは、
前記画像情報を前記プロジェクタへ向け送信するとともに、前記制御情報を前記プロジェクタから受信するＰＣ側通信部と、
前記スクリーンセーバーの起動イベントが発生したかどうかを判定する判定部と、
前記起動イベントが発生した場合、前記制御情報に基づき、当該制御情報が前記スクリーンセーバーの起動を禁止する情報であれば前記スクリーンセーバーの起動を抑止し、当該制御情報が前記スクリーンセーバーの起動を許可する情報であれば前記スクリーンセーバーを起動させる制御部と、
を含むことを特徴とする。
【０００９】
また、本発明に係る投写方法は、少なくとも１台のＰＣと、当該ＰＣからの画像情報に基づく画像を投写するプロジェクタとを用いた投写方法において、
前記プロジェクタは、前記ＰＣと接続された場合、前記ＰＣにおけるスクリーンセーバーの動作に関する制御情報を前記ＰＣへ向け送信し、
前記ＰＣは、
前記制御情報を前記プロジェクタから受信し、
前記スクリーンセーバーの起動イベントが発生したかどうかを判定し、
前記起動イベントが発生した場合、前記制御情報に基づき、当該制御情報が前記スクリーンセーバーの起動を禁止する情報であれば前記スクリーンセーバーの起動を抑止し、当該制御情報が前記スクリーンセーバーの起動を許可する情報であれば前記スクリーンセーバーを起動させることを特徴とする。
【００１０】
本発明によれば、投写システムは、プロジェクタからＰＣのスクリーンセーバーの動作に関する制御情報を送信することにより、プロジェクタの設定に応じてＰＣのスクリーンセーバーの動作を制御することができる。
【００１１】
また、前記プロジェクタは、前記画像情報に基づく画像を投写するとともに、前記設定データに関する情報を入力させるための設定画像を投写する投写部と、
前記設定データに関する情報を入力して前記設定データとして前記記憶部に記憶する設定部と、
を含んでもよい。
【００１２】
これによれば、投写システムは、ユーザーの設定に応じて設定データを生成、更新することができる。
【００１３】
また、前記ＰＣは、
前記ＰＣにおける非入力継続時間を計時する計時部と、
前記スクリーンセーバーの起動設定時間を示す起動設定時間データを記憶する記憶部と、
を含み、
前記判定部は、前記制御情報が前記スクリーンセーバーの起動を禁止する情報の場合、前記非入力継続時間と、前記起動設定時間データとに基づき、前記非入力継続時間が前記起動設定時間を経過する前に前記起動イベントが発生したと判定してもよい。
【００１４】
これによれば、投写システムは、非入力継続時間が前記起動設定時間を経過する前に前記起動イベントが発生したと判定することにより、より確実にスクリーンセーバーの起動を抑止することができる。
【００１５】
また、前記制御部は、前記制御情報が前記スクリーンセーバーの起動を許可する情報の場合であって、かつ、前記起動イベントが発生した場合、前記ＰＣ側通信部に前記画像情報の送信を停止させてもよい。
【００１６】
これによれば、投写システムは、スクリーンセーバーの起動時には画像情報の送信を停止することにより、処理負荷や伝送路の負荷を低減することができる。また、この場合、プロジェクタの画像は変化しないことになるので、投写システムは、当該画像の観察者の集中力を低下させることなく、会議等を行わせることができる。
【発明を実施するための最良の形態】
【００１７】
以下、本発明をＰＣ(Personal Computer)とプロジェクタを用いた投写システムに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１８】
図１は、本実施例における投写システム１０の使用状態を示す図である。
【００１９】
投写システム１０は、ＰＣ２００と、ＰＣ２００から送信される画像情報に基づく画像を投写するプロジェクタ１００とを含んで構成されている。
【００２０】
ＰＣ２００とプロジェクタ１００とはＵＳＢケーブル３００を介して接続されており、プロジェクタ１００は、ＰＣ２００で表示されている画像と同じ画像をスクリーン等に投写する。
【００２１】
このような場合、ＰＣ２００でスクリーンセーバーが起動してしまうと、プロジェクタ１００が投写する画像もスクリーンセーバーの画像となってしまう。特に、スクリーンセーバーの画像が、動きの激しい動画像である場合、プロジェクタ１００の画像の観察者に不快感を与えてしまう。
【００２２】
本実施例では、プロジェクタ１００からＰＣ２００にスクリーンセーバーの制御情報を送信することにより、プロジェクタ１００の設定に合わせたスクリーンセーバーの起動または起動の抑止等を行う。
【００２３】
次に、このような機能を実装したプロジェクタ１００およびＰＣ２００の機能ブロックについて説明する。
【００２４】
図２は、本実施例におけるプロジェクタ１００の機能ブロックの一例を示す図である。
【００２５】
プロジェクタ１００は、画像情報をＰＣ２００から受信するとともに、制御情報をＰＣ２００へ向け送信するプロジェクタ側通信部１１０と、ユーザーの操作に応じて種々の設定を行う設定部１２０と、記憶部１４０に記憶されたデータを更新する更新部１３０と、種々のデータを記憶する記憶部１４０と、制御情報等を生成する情報生成部１６０と、種々の画像を生成する画像生成部１５０と、当該画像を投写する投写部１９０とを含んで構成されている。
【００２６】
また、記憶部１４０は、ユーザーにスクリーンセーバーの動作に関する設定を促す設定画像を生成するための設定画像データ１４２、ＰＣ２００におけるスクリーンセーバーの動作に関する設定を示し、設定部１２０によって設定される設定データ１４４、ＰＣ２００から送信された画像情報に関する画像データ１４６等を記憶している。なお、更新部１３０は、ＰＣ２００から送信された画像情報に基づき、画像データ１４６を更新する。また、情報生成部１６０は、設定データ１４４に基づき、スクリーンセーバーの動作に関する制御情報を生成する。
【００２７】
次に、ＰＣ２００の機能ブロックについて説明する。
【００２８】
図３は、本実施例におけるＰＣ２００の機能ブロックの一例を示す図ある。
【００２９】
ＰＣ２００は、画像情報をプロジェクタ１００へ向け送信するとともに、制御情報をプロジェクタ１００から受信するＰＣ側通信部２１０と、種々の判定を行う判定部２２０と、種々の制御を行う制御部２３０と、種々のデータを記憶する記憶部２４０と、種々の画像を生成する画像生成部２５０と、当該画像に基づく画像情報等を生成する情報生成部２６０と、ＰＣ２００における非入力継続時間を計時する計時部２７０と、キーボード、マウス等から操作情報等を入力する入力部２８０と、画像生成部２５０によって生成された画像を表示する表示部２９０とを含んで構成されている。
【００３０】
なお、ここで、画像情報は、元の画像をデータ通信用に変形した情報である。画像情報としては、例えば、元の画像情報がパケット化された情報、元の画像情報にヘッダ等が付加された情報、元の画像情報を圧縮した情報等が該当する。
【００３１】
また、ここで、非入力継続時間は、例えば、入力部２８０による入力がない状態の継続時間である。すなわち、ユーザーがマウス等の操作を行わない間、非入力継続時間は増加し、ユーザーがマウス等の操作を行った場合、非入力継続時間はリセットされる。
【００３２】
また、記憶部２４０は、スクリーンセーバーが起動するまでの時間を示す起動設定時間データ２４２、スクリーンセーバーの画像を表示するためのスクリーンセーバー画像データ２４４、通常の画像を表示するための画像データ２４６等を記憶している。なお、スクリーンセーバーが起動するまでの時間は、例えば、一般的なスクリーンセーバー設定画像が表示された状態でユーザーによって設定され、入力部２８０が当該設定情報を起動設定時間データ２４２として記憶部２４０に記憶する。
【００３３】
なお、これらの各部は、例えば、以下のハードウェアを用いて実装してもよい。例えば、プロジェクタ側通信部１１０、ＰＣ側通信部２１０としてはＵＳＢインターフェース等、設定部１２０としては操作ボタン、リモートコントローラー（以下、「リモコン」という。）および赤外受光ユニット等、更新部１３０、情報生成部１６０、２６０、判定部２２０、制御部２３０としてはＣＰＵ等、記憶部１４０、２４０としてはＨＤＤ、ＲＡＭ、ＲＯＭ等、画像生成部１５０、２５０としては画像処理回路等、投写部１９０としては液晶パネル、液晶駆動回路、ランプ、投写レンズ等、計時部２７０としてはシステムタイマーおよびＣＰＵ等、入力部２８０としては入力ポートおよびＣＰＵ等、表示部２９０としては液晶モニター等を採用してもよい。
【００３４】
次に、これらの各部を用いたスクリーンセーバーの制御手順について説明する。
【００３５】
図４は、本実施例におけるスクリーンセーバーの制御手順の一例を示すフローチャートである。
【００３６】
まず、プロジェクタ１００のユーザーは、プロジェクタ１００を用いる場合にスクリーンセーバーの起動を許可するか禁止するかをプロジェクタ１００に設定する。
【００３７】
このため、画像生成部１５０は、設定画像データ１４２に基づき、設定画像を生成し、投写部１９０は、当該設定画像を投写する（ステップＳ１）。
【００３８】
図５は、本実施例における設定画像４００の一例を示す図である。
【００３９】
設定画像４００は、例えば、「スクリーンセーバーの起動を禁止しますか？」等の文字列画像、「はい」、「いいえ」、「戻る」等のボタン画像を含む。
【００４０】
ユーザーは、リモコンの方向キーを操作して所望のボタン画像を選択し、リモコンの「決定」ボタンを押す。例えば、「はい」が選択された場合はスクリーンセーバーの起動を禁止することを示し、「いいえ」が選択された場合はスクリーンセーバーの起動を許可することを示し、「戻る」が選択された場合はスクリーンセーバーの起動の設定は変更されず、設定データ１４４も更新されない。
【００４１】
設定部１２０は、ユーザーの操作に応じて設定内容を示す設定情報を入力し（ステップＳ２）、「戻る」が選択された場合を除き、設定データ１４４として記憶部１４０に記憶する（ステップＳ３）。
【００４２】
そして、ユーザーは、ＰＣ２００をプロジェクタ１００に接続する。
【００４３】
ＰＣ２００がプロジェクタ１００に接続された場合、情報生成部１６０は、設定データ１４４に基づき、制御情報を生成し、プロジェクタ側通信部１１０は、当該制御情報を、ＵＳＢケーブル３００を介してＰＣ２００に送信する（ステップＳ４）。
【００４４】
ＰＣ側通信部２１０は、当該制御情報を受信する。
【００４５】
そして、ユーザーは、ＰＣ２００を操作してプレゼンテーション等を行う。
【００４６】
計時部２７０は、入力部２８０からの情報に基づき、非入力継続時間を計時する（ステップＳ５）。
【００４７】
判定部２２０は、計時部２７０で計時される非入力継続時間と、起動設定時間データ２４２に基づき、非入力継続時間が起動設定時間以上になったかどうかを判定することにより、スクリーンセーバー起動イベントが発生したかどうかを判定する（ステップＳ６）。
【００４８】
例えば、スクリーンセーバーの起動設定時間が１０分の場合、非入力継続時間が１０分以上になれば、スクリーンセーバー起動イベントが発生したことになる。なお、判定部２２０は、非入力継続時間が起動設定時間を経過する前に起動イベントが発生したと判定してもよい。この場合、例えば、スクリーンセーバーの起動設定時間が１０分の場合、非入力継続時間が９分５０秒以上になれば、スクリーンセーバー起動イベントが発生したことになる。
【００４９】
そして、スクリーンセーバー起動イベントが発生した場合、判定部２２０は、ＰＣ側通信部２１０によって受信された制御情報に基づき、プロジェクタ１００の設定がスクリーンセーバーの起動を許可するものかどうかを判定する（ステップＳ７）。
【００５０】
制御情報がスクリーンセーバーの起動を許可するものである場合、制御部２３０は、画像生成部２５０を制御してスクリーンセーバー画像データ２４４に基づく画像を生成させ、表示部２９０は、当該画像を表示する。これにより、スクリーンセーバーが起動したことになる（ステップＳ８）。
【００５１】
一方、制御情報がスクリーンセーバーの起動を禁止するものである場合、制御部２３０は、スクリーンセーバーを起動しない。
【００５２】
判定部２２０は、入力部２８０からの情報に基づき、ユーザーがＰＣ２００のマウス等を操作したかどうかを判定することにより、スクリーンセーバー停止イベントが発生したかどうかを判定する（ステップＳ９）。例えば、ユーザーがＰＣ２００のマウスを移動させた場合、スクリーンセーバー停止イベントが発生したことになる。
【００５３】
スクリーンセーバー停止イベントが発生した場合、制御部２３０は、スクリーンセーバーが起動中であれば、スクリーンセーバーを停止させるように画像生成部２５０を制御する（ステップＳ１０）。すなわち、画像生成部２５０は、例えば、制御部２３０によってスクリーンセーバー画像データ２４４ではなく、画像データ２４６を使用するように制御されることにより、スクリーンセーバーを停止する。
【００５４】
以上のように、本実施例によれば、投写システム１０は、プロジェクタ１００からＰＣ２００のスクリーンセーバーの動作に関する制御情報を送信することにより、プロジェクタ１００の設定に応じてＰＣ２００のスクリーンセーバーの動作を制御することができる。
【００５５】
これにより、プレゼンターは、プレゼンテーション中に自分が期待しないタイミングでスクリーンセーバーが起動することを抑止できるため、効率よくプレゼンテーションを行うことができる。また、傍聴者は、不快感をもつことなく、集中してプレゼンテーションを視聴することができる。
【００５６】
また、本実施例によれば、投写システム１０は、設定画像４００を用いることにより、ユーザーの設定に応じて設定データ１４４を生成、更新することができる。
【００５７】
また、本実施例によれば、ＰＣ２００は、非入力継続時間が起動設定時間を経過する前に起動イベントが発生したと判定することにより、より確実にスクリーンセーバーの起動を抑止することができる。
【００５８】
すなわち、ＰＣ２００は、非入力継続時間が起動設定時間を経過した時に起動イベントが発生したと判定した場合、スクリーンセーバーの起動を禁止している場合であっても、通常のスクリーンセーバーの動作によってスクリーンセーバーが一瞬起動することも考えられるが、このような事態の発生を防止できる。
【００５９】
なお、本発明の適用は、上述した実施例に限定されず、種々の変形が可能である。
【００６０】
例えば、制御部２３０は、制御情報がスクリーンセーバーの起動を許可する情報の場合であって、かつ、スクリーンセーバーの起動イベントが発生した場合、ＰＣ側通信部２１０に画像情報の送信を停止させたり、情報生成部２６０に画像情報の生成を停止させたりしてもよい
これによれば、投写システム１０は、スクリーンセーバーの起動時には画像情報の送信を停止することにより、処理負荷や伝送路（ＵＳＢケーブル３００）の負荷を低減することができる。また、この場合、プロジェクタ１００の画像は変化しないことになる。すなわち、プロジェクタ１００は、スクリーンセーバーが動画の場合はスクリーンセーバーの画像を投写することにより、観察者の集中力を低下させやすいが、静止画を投写することにより、観察者の集中力を低下させることなく、会議等を行わせることができる。
【００６１】
また、上述した実施例では、プロジェクタ１００は、１台のＰＣ２００と接続されているが、複数台のＰＣ２００と接続され、複数台のＰＣ２００から画像情報を受信し、各ＰＣ２００の画像を同時に投写してもよい。また、この場合、プロジェクタ１００は、各ＰＣ２００に対して制御情報を送信してもよい。
【００６２】
これによれば、投写システム１０は、各ＰＣ２００でスクリーンセーバーの起動設定が統一されていない場合であっても、制御情報によって統一することができる。
【００６３】
また、ＰＣ２００が送信する画像情報は、ＰＣ２００の画像がキャプチャーされたものであってもよいし、あらかじめＰＣ２００に記憶された画像データに基づくものであってもよい。また、ＰＣ２００が送信する画像情報は、画像の一部であってもよいし、圧縮したものであってもよい。なお、このような画像情報の処理方式は、特開２００６−５８６６８号公報に記載されているため、詳細な説明を省略する。
【００６４】
また、プロジェクタ１００が制御情報を送信するタイミングは、ＰＣ２００との接続時には限定されず、例えば、設定データ１４４の更新時等であってもよい。
【００６５】
また、プロジェクタ１００とＰＣ２００との間の伝送路はＵＳＢケーブル３００には限定されず、例えば、双方向通信可能な有線ケーブル、無線ＬＡＮ、ワイヤレスＵＳＢ等であってもよい。また、プロジェクタ１００とＰＣ２００との間における上りの伝送路と下りの伝送路は異なるものであってもよい。
【００６６】
また、プロジェクタ１００は、液晶プロジェクタには限定されず、例えば、米国テキサス・インスツルメンツ社が開発したＤＭＤ(Digital Micromirror Device)を用いたプロジェクタ、ＣＲＴプロジェクタ、有機ＥＬを用いたプロジェクタ等であってもよい。
【００６７】
また、ＰＣ２００は、ノート型には限定されず、デスクトップ型、モバイル型等であってもよい。
【図面の簡単な説明】
【００６８】
【図１】本実施例における投写システムの使用状態を示す図である。
【図２】本実施例におけるプロジェクタの機能ブロックの一例を示す図である。
【図３】本実施例におけるＰＣの機能ブロックの一例を示す図ある。
【図４】本実施例におけるスクリーンセーバーの制御手順の一例を示すフローチャートである。
【図５】本実施例における設定画像の一例を示す図である。
【符号の説明】
【００６９】
１０  投写システム、１００  プロジェクタ、１１０  プロジェクタ側通信部、１２０  設定部、１３０  更新部、１４０、２４０  記憶部、１４２  設定画像データ、１４４  設定データ、１４６、２４６  画像データ、１５０、２５０  画像生成部、１６０、２６０  情報生成部、１９０  投写部、２００  ＰＣ、２１０  ＰＣ側通信部、２２０  判定部、２３０  制御部、２７０  計時部、２８０  入力部、２９０  表示部、３００  ＵＳＢケーブル、４００  設定画像
【図１】
2008077301.tif 000003
【図２】
2008077301.tif 000004
【図３】
2008077301.tif 000005
【図４】
2008077301.tif 000006
【図５】
2008077301.tif 000007